【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が当選であって、前記表示部から視認できる有効位置に当選役と対応する組合せ態様が停止した場合、入賞成立として遊技者に特典を付与する特典付与手段と
を備えた遊技機において、
前記役の抽選結果が第１所定役当選であって、前記有効位置に第１所定組合せが停止したことに基づいて、第１所定入賞成立として遊技状態を第１遊技状態より遊技者に有利な第２遊技状態に移行させる特典を付与する第２遊技状態移行手段と、
前記役の抽選結果が第２所定役当選であって、前記有効位置に第２所定組合せが停止したことに基づいて、第２所定入賞成立として遊技状態を第１遊技状態より遊技者に不利な第３遊技状態に移行させる特典を付与する第３遊技状態移行手段と
を備え、
前記第１所定役を複数設定するとともに、前記役の抽選結果が前記第１所定役当選である場合に前記第２所定役にも当選となる機会が生じるよう、前記役の抽選が行われる抽選役を設定し、
前記役の抽選結果が前記第１所定役のいずれかと前記第２所定役に共に当選であって、当選となった第１所定役と対応する当選第１所定組合せを前記有効位置に停止させることが可能な場合、当選となった第２所定役と対応する当選第２所定組合せより優先して前記当選第１所定組合せを前記有効位置に停止させるよう前記各駆動手段を停止駆動制御する優先停止駆動制御手段を設け、
前記各周回体のうち規定周回体には、前記第１所定組合せを形成する第１所定絵柄として前記第１所定役毎に異なる絵柄を配置するとともに、１の第１所定役と対応する第１所定絵柄を前記規定期間に前記有効位置に到達させることが可能なタイミングで対応する停止操作手段を操作された場合、他の第１所定役と対応する第１所定絵柄が前記操作タイミングからの前記規定期間に前記有効位置に到達しないよう、前記各第１所定絵柄を離間して配置し、さらに、前記第１所定絵柄を前記規定期間に前記有効位置に到達させることが可能なタイミングで対応する停止操作手段を操作された場合、前記当選第２所定組合せを形成する当選第２所定絵柄を前記操作タイミングからの前記規定期間に前記有効位置に到達させ得るよう、前記第２所定組合せを形成する第２所定絵柄を配置したことを特徴とする遊技機。
【請求項２】
前記第３遊技状態移行手段は、前記規定周回体の前記第２所定絵柄が前記有効位置に停止した場合、前記第２所定組合せが前記有効位置に停止したと判断することを特徴とする請求項１に記載の遊技機。
【請求項３】
前記第２遊技状態移行手段は、前記規定周回体の前記第１所定絵柄が前記有効位置に停止した場合、前記第１所定組合せが前記有効位置に停止したと判断することを特徴とする請求項１又は２に記載の遊技機。
【請求項４】
前記規定周回体以外の周回体には、前記各第１所定絵柄及び前記第２所定絵柄として同じ絵柄を配置したことを特徴とする請求項１に記載の遊技機。
【請求項５】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が当選であって、前記表示部から視認できる有効位置に当選役と対応する組合せ態様が停止した場合、入賞成立として遊技者に特典を付与する特典付与手段と
を備えた遊技機において、
前記役の抽選結果が特定役当選であって、前記有効位置に第１所定組合せが停止したことに基づいて、第１所定入賞成立として遊技状態を第１遊技状態より遊技者に有利な第２遊技状態に移行させる特典を付与する第２遊技状態移行手段と、
前記役の抽選結果が前記特定役当選であって、前記有効位置に第２所定組合せが停止したことに基づいて、第２所定入賞成立として遊技状態を第１遊技状態より遊技者に不利な第３遊技状態に移行させる特典を付与する第３遊技状態移行手段と
を備え、
前記特定役を複数設定し、
前記役の抽選結果が前記特定役のいずれかに当選であって、当選となった特定役と対応する当選第１所定組合せを前記有効位置に停止させることが可能な場合、当選となった特定役と対応する当選第２所定組合せより優先して前記当選第１所定組合せを前記有効位置に停止させるよう前記各駆動手段を停止駆動制御する優先停止駆動制御手段を設け、
前記各周回体のうち規定周回体には、前記第１所定組合せを形成する第１所定絵柄として前記特定役毎に異なる絵柄を配置するとともに、１の特定役と対応する第１所定絵柄を前記規定期間に前記有効位置に到達させることが可能なタイミングで対応する停止操作手段を操作された場合、他の特定役と対応する第１所定絵柄が前記操作タイミングからの前記規定期間に前記有効位置に到達しないよう、前記各第１所定絵柄を離間して配置し、さらに、前記第１所定絵柄を前記規定期間に前記有効位置に到達させることが可能なタイミングで対応する停止操作手段を操作された場合、前記当選第２所定組合せを形成する当選第２所定絵柄を前記操作タイミングからの前記規定期間に前記有効位置に到達させ得るよう、前記第２所定組合せを形成する第２所定絵柄を配置したことを特徴とする遊技機。
【請求項６】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が当選であって、前記表示部から視認できる有効位置に当選役と対応する組合せ態様が停止した場合、入賞成立として遊技者に特典を付与する特典付与手段と
を備えた遊技機において、
前記役の抽選結果が第１所定役当選であって、前記有効位置に第１所定組合せが停止したことに基づいて、第１所定入賞成立として遊技状態を第１遊技状態より遊技者に不利な第２遊技状態に移行させる特典を付与する第２遊技状態移行手段と、
前記役の抽選結果が第２所定役当選であって、前記有効位置に第２所定組合せが停止したことに基づいて、第２所定入賞成立として遊技状態を前記第２遊技状態より遊技者に不利な第３遊技状態に移行させる特典を付与する第３遊技状態移行手段と
を備え、
前記第１所定役を複数設定するとともに、前記役の抽選結果が前記第１所定役当選である場合に前記第２所定役にも当選となる機会が生じるよう、前記役の抽選が行われる抽選役を設定し、
前記役の抽選結果が前記第１所定役のいずれかと前記第２所定役に共に当選であって、当選となった第１所定役と対応する当選第１所定組合せを前記有効位置に停止させることが可能な場合、当選となった第２所定役と対応する当選第２所定組合せより優先して前記当選第１所定組合せを前記有効位置に停止させるよう前記各駆動手段を停止駆動制御する優先停止駆動制御手段を設け、
前記各周回体のうち規定周回体には、前記第１所定組合せを形成する第１所定絵柄として前記第１所定役毎に異なる絵柄を配置するとともに、１の第１所定役と対応する第１所定絵柄を前記規定期間に前記有効位置に到達させることが可能なタイミングで対応する停止操作手段を操作された場合、他の第１所定役と対応する第１所定絵柄が前記操作タイミングからの前記規定期間に前記有効位置に到達しないよう、前記各第１所定絵柄を離間して配置し、さらに、前記第１所定絵柄を前記規定期間に前記有効位置に到達させることが可能なタイミングで対応する停止操作手段を操作された場合、前記当選第２所定組合せを形成する当選第２所定絵柄を前記操作タイミングからの前記規定期間に前記有効位置に到達させ得るよう、前記第２所定組合せを形成する第２所定絵柄を配置したことを特徴とする遊技機。